(57)【要約】      （修正有）【課題】動画を観賞しているユーザーにとって、自分好みの気に入った画像があるとき、自分好みの画像をＴシャツなどの商品にプリントして着用したいという要求に応えるサービスを可能とする、画像プリントサービスシステムおよび画像プリントサービス方法を提供する。【解決手段】画像プリントサービスシステム１は、複数の画像と選択画像を特定するに足りるデータとを対応付けてコンテンツＤＢサーバ１２のストレージに蓄積し、ユーザーが所望の画像を選択したとき、選択した画像を特定するに足りるデータを受け、当該データをもとにコンテンツＤＢサーバ１２のストレージを検索し、コンテンツＤＢサーバ１２のストレージからデータに対応する画像を抽出し、抽出した画像をユーザーが希望する商品にプリントする。【選択図】図５
2020204801.tif 000002
【特許請求の範囲】
【請求項１】
ネットワークを介してクライアント端末に画像を含むコンテンツを配信する機能を有する画像プリントサービスシステムであって、
前記クライアント端末からユーザーが所望するコンテンツ配信要求を受けたとき、ユーザー所望のコンテンツの画像を前記クライアント端末に配信し、
前記クライアント端末からユーザーが所望するコンテンツの画像を特定する情報およびユーザーが所望する商品を特定する情報を受信したとき、ユーザーが所望するコンテンツの画像を検索・照合してユーザー所望する商品にプリントする画像プリントサービス管理サーバを含み、
前記画像プリントサービス管理サーバは、
前記クライアント端末からユーザーが所望するプリント画像を特定する情報を受信するプリント所望画像情報受信部、
前記クライアント端末からユーザーが所望するプリント商品を特定する情報を受信するプリント所望商品情報受信部、
前記画像を含むコンテンツを管理するコンテンツ管理部からユーザーが所望するコンテンツの画像を特定する情報に基づいてユーザーが所望するコンテンツの画像を抽出するコンテンツ画像抽出部、
抽出したコンテンツの画像をユーザーが所望するプリント商品にプリントするコンテンツ画像プリント部、
を備え、
ユーザーが所望するコンテンツの画像（動画）をユーザーが所望する商品にプリントしてユーザーに提供可能とすることを特徴とする
画像プリントサービスシステム。
【請求項２】
請求項１に記載された画像プリントサービスシステムにおいて、
前記画像プリントサービス管理サーバは、Ｗｅｂサーバ、コンテンツＤＢサーバ、商品管理サーバ、プリントサーバを含み、
前記Ｗｅｂサーバは、
前記クライアント端末に前記ネットワークを介して接続され、前記クライアント端末からユーザーが所望するコンテンツ配信要求を受けたとき、前記画像を含むコンテンツを配信し、また、ユーザーが所望するコンテンツの画像を特定する情報およびユーザーが所望する商品を特定する情報を受信し、
前記コンテンツＤＢサーバは、
前記画像を含むコンテンツを格納、管理し、前記ユーザーが所望するコンテンツの画像を特定する情報を受信したとき、当該情報に対応する所望の画像を検索・抽出し、
前記商品管理サーバは、前記商品を管理し、
前記プリントサーバは、
前記ユーザーが所望するコンテンツの画像を特定する情報および前記ユーザーが所望する商品を特定する情報を受信したとき、前記コンテンツＤＢサーバにて抽出したコンテンツの画像（動画）を前記商品にプリントする
ことを特徴とする画像プリントサービスシステム。
【請求項３】
請求項１に記載された画像プリントサービスシステムにおいて、
前記前記クライアント端末からユーザーが所望するコンテンツの画像を特定する情報が、以下の何れか１つ以上である
（１）画像をタッチしたとき、タッチした画像を特定するに足りる情報、例えば、選択動画時刻データ、
（２）画像をスクリーンショット操作したとき、スクリーンショット画像を特定するに足りる情報、例えば、スクリーンショット時刻データ、またはスクリーンショット画像そのもの、
（３）画像をドラッグおよびドロップ操作したとき、ドラック・ドロップ画像を特定するに足りる情報、例えば、ドラック・ドロップ時刻データ、またはドラック・ドロップ画像そのもの
ことを特徴とする画像プリントサービスシステム。
【請求項４】
クライアント端末にコンテンツの動画を配信する動画配信手段と、
前記クライアント端末から前記配信された動画の一部の画像を特定する画像特定情報を受信する画像特定情報受信手段と、
前記画像特定情報に対応するユーザーが選択したコンテンツの画像を生成する画像生成手段と、
前記クライアント端末を介してユーザーが指定する商品に関する情報を受信する商品管理手段と、
前記画像生成手段にて生成した画像を前記商品管理手段にて受信した指定商品にプリントするプリント手段を有し、
前記クライアント端末にてユーザーが選択したコンテンツの画像を前記クライアント端末にてユーザーが指定した商品にプリントしてユーザーに提供可能とする
ことを特徴とする画像プリントサービスシステム。
【請求項５】
クライアント端末にコンテンツの動画を配信する動画配信手段と、
前記クライアント端末から前記配信された動画の一部の画像を特定する画像特定情報を受信する画像特定情報受信手段と、
前記画像特定情報をもとに、前記動画を複数の画像に分割してストレージに記憶された画像特定情報対応分割画像を検索し、前記ストレージから当該画像特定情報に一致する分割画像を抽出する分割画像抽出手段と、
前記クライアント端末を介してユーザーが指定する商品に関する情報を受信する商品管理手段と、
前記分割画像抽出手段にて抽出した分割画像を前記商品管理手段にて受信した指定商品にプリントするプリント手段を有し、
前記クライアント端末にてユーザーが選択した画像を前記クライアント端末にてユーザーが指定した商品にプリントしてユーザーに提供可能とする
ことを特徴とする画像プリントサービスシステム。
【請求項６】
請求項５に記載された画像プリントサービスシステムにおいて、
さらに、前記クライアント端末にて入力されたオプション情報を受信するオプション情報受信手段と、
前記オプション情報を前記分割画像抽出手段にて抽出した分割画像と併せて前記プリント手段にてプリントする
ことを特徴とする画像プリントサービスシステム。
【請求項７】
請求項５又は６に記載された画像プリントサービスシステムにおいて、
前記画像特定情報が動画時刻データであり、
前記ストレージは、前記動画時刻データと前記分割画像を記憶する動画時刻データ対応分割画像データベースを含む
ことを特徴とする画像プリントサービスシステム。
【請求項８】
Ｗｅｂサーバ、コンテンツＤＢサーバ、商品管理サーバ、プリントサーバを有する画像プリントサービスシステムにおいて、
前記Ｗｅｂサーバは、
クライアント端末からのコンテンツ配信要求を受信し、前記コンテンツＤＢサーバに通知する手段を含み、
前記コンテンツＤＢサーバは、
前記コンテンツ配信要求をもとに前記クライアント端末へ配信するコンテンツの動画を記憶するコンテンツデータベースと、
前記コンテンツの動画を、前記Ｗｅｂサーバを介して前記クライアント端末に対して配信する動画配信手段と、
前記動画を複数の動画に分割して得た分割画像を動画時刻データと対応付けして記憶された動画時刻データ分割データベースと、
前記配信された動画を観賞しているユーザーが動画の中から所望の画像をタッチ選択したとき、タッチ選択した前記動画の一部を示す画像を特定するに足りる画像特定情報を受信する画像特定情報受信手段と、
を含み、
前記商品管理サーバは、
前記クライアント端末を介してユーザーが指定する商品に関する情報を受信する商品関連情報受信手段と、
前記商品を管理する商品管理手段と、
を含み、
前記プリントサーバは、
前記動画時刻データ分割データベースから抽出した分割画像を前記商品管理手段にて受信した指定商品にプリントするプリント手段を含む、
ことを特徴とする画像プリントサービスシステム。
【請求項９】
画像プリントサービス方法において、
クライアント端末にコンテンツの動画を配信する動画配信ステップと、
前記クライアント端末から前記配信された動画の一部の画像を特定する画像特定情報を受信する画像特定情報受信ステップと、
前記画像特定情報をもとに、前記動画を複数の画像に分割してストレージに記憶された画像特定情報対応分割画像を検索する検索ステップと、
前記ストレージから当該画像特定情報に一致する分割画像を抽出する分割画像抽出ステップと、
前記クライアント端末を介してユーザーが指定する商品に関する情報を受信する商品関連情報受信ステップと、
前記分割画像抽出ステップにて抽出した分割画像を前記商品関連情報受信ステップにて受信した指定商品にプリントするプリントステップを有し、
前記クライアント端末にてユーザーが選択した画像を前記クライアント端末にてユーザーが指定した商品にプリントしてユーザーに提供可能とする
ことを特徴とする画像プリントサービス方法。
【請求項１０】
請求項９に記載された画像プリントサービス方法において、
さらに、前記クライアント端末にて入力されたオプション情報を受信するオプション情報受信ステップと、
前記オプション情報を前記分割抽出ステップにて抽出した分割画像と併せて前記プリントステップにてプリントする
ことを特徴とする画像プリントサービス方法。
【請求項１１】
請求項９又は１０に記載された画像プリントサービス方法において、
前記画像特定情報が動画時刻データであり、
前記ストレージは、前記動画時刻データと前記分割画像を記憶する動画時刻データ対応分割画像データベースを含む
ことを特徴とする画像プリントサービス方法。
【請求項１２】
クライアント端末にコンテンツの動画を配信する動画配信手段と、
前記クライアント端末にて撮影されたスクリーンショット画像を特定するに足りる情報を受信する情報受信手段と、
前記クライアント端末を介してユーザーが指定する商品に関する情報を受信する商品管理手段と、
前記情報受信手段にて受信したスクリーンショット画像を特定するに足りる情報に対応するスクリーンショット画像を前記商品管理手段にて受信した指定商品にプリントするプリント手段を有し、
前記クライアント端末にてユーザーが選択した画像を前記クライアント端末にてユーザーが指定した商品にプリントしてユーザーに提供可能とする
ことを特徴とする画像プリントサービスシステム。
【請求項１３】
請求項１２に記載された画像プリントサービスシステムにおいて、
さらに、前記クライアント端末にて入力されたオプション情報を受信するオプション情報受信手段（Ｓ１３１２の付加情報やトリミング情報など）と、
前記オプション情報を前記情報受信手段にて受信したスクリーンショット画像と併せて前記プリント手段にてプリントする
ことを特徴とする画像プリントサービスシステム。
【請求項１４】
画像プリントサービス方法において、
クライアント端末にコンテンツの動画を配信する動画配信ステップと、
前記クライアント端末にて撮影されたスクリーンショット画像を受信する画像受信ステップと、
前記クライアント端末を介してユーザーが指定する商品に関する情報を受信する商品管理ステップ（Ｓ１３１２）と、
前記画像受信ステップにて受信したスクリーンショット画像を特定するに足りる情報に対応するスクリーンショット画像を前記商品管理ステップにて受信した指定商品にプリントするプリントステップを有し、
前記クライアント端末にてユーザーが選択した画像を前記クライアント端末にてユーザーが指定した商品にプリントしてユーザーに提供可能とする
ことを特徴とする画像プリントサービス方法。
【発明の詳細な説明】
【技術分野】
【０００１】
本発明は、画像プリントサービスシステムに関し、例えば、アニメ、映画やプロモーションビデオにおける動画の中からユーザーが所望する画像を選択したとき、当該選択した画像を特定し、当該画像をユーザーが所望するＴシャツなどの商品にプリントしてユーザーに提供する画像プリントサービスシステム画像プリントサービス方法に関する。
【背景技術】
【０００２】
従来に、通信ネットワークを介してクライアント端末にコンテンツを配信するコンテンツ配信システムが存在する。
例えば、１つの漫画を話ごとに販売するため、特許第６２７９１６０号公報（特許文献１）に記載の技術がある。この公報には、「読者端末から複数の話の１つを構成する１つ以上の画像データの送信要求を受信した場合に、複数の話の１つが有料であるか無料であるかを記憶装置に記憶されている価格データに基づき判断するとともに、有料である場合には読者端末の読者が複数の話の１つに対して決済済みであるかどうかを記憶装置に記憶されている決済情報に基づいて判断し、無料である、あるいは有料であり且つ決済済みである場合には、複数の話の１つを構成する１つ以上の画像データを記憶装置から読み出して読者端末に対して送信し、有料であり且つ決済済みでない場合には、決済要求を読者端末に送信する漫画配信装置。」という記載がある。
【先行技術文献】
【特許文献】
【０００３】
【特許文献１】特許第６２７９１６０号公報
【発明の概要】
【発明が解決しようとする課題】
【０００４】
特許文献１に記載された発明は、読者端末から複数の話の１つを構成する１つ以上の画像データの送信要求を受けたとき、記憶装置から複数の話の１つを構成する１つ以上の画像データを読み出して読者端末に対して送信するものである。
しかし、特許文献１では、連続した画像、例えば、プロモーションビデオにおける動画の中から１つの画像を特定し、特定した画像をユーザーが所望する商品、例えば、Ｔシャツなどにプリントして、提供するサービスについては想定されていない。そのため、漫画の話ごとに価格を決定し、１つの漫画を話ごとに販売することができる、という効果に留まる。
【０００５】
そこで、本発明では、例えば、動画を観賞しているユーザーにとって、自分好みの気に入った画像があるとき、自分好みの画像をＴシャツなどの商品にプリントして着用したいという要求に応えるサービスを可能とする技術を提供することを目的とする。
【０００６】
例えば、画像配信サーバから配信された動画を観賞しているユーザーが動画の中から
（１）所望の画像をタッチ、選択したとき、タッチした画像を特定するに足りる情報、例えば、選択動画時刻データ（数字）、
（２）所望の画像をスクリーンショット操作したとき、スクリーンショット画像を特定するに足りる情報、例えば、スクリーンショット時刻データ（数字）、またはスクリーンショット画像そのもの、
（３）所望の画像をドラッグ・ドロップ操作したとき、ドラック・ドロップ画像を特定するに足りる情報、例えば、ドラック・ドロップ時刻データ（数字）、またはドラック・ドロップ画像そのもの、
などの時刻データ（数字）や画像そのものをもとに複数の画像に分割して格納したコンテンツＤＢサーバにおけるストレージ（コンテンツＤＢ）を検索、照合（突き合わせ）し、当該時刻データや画像そのものに一致する画像をコンテンツＤＢサーバにおけるストレージから抽出し、抽出した画像をユーザーが所望する商品、例えば、Ｔシャツにプリントして、ユーザーに提供し得る技術を提供することを目的とする。
【０００７】
また、ユーザーが所望する動画にオプション情報（誕生日、購入日時、動画時刻、ロゴ、フォーマットデザイン）を付加したい場合は、この付加情報を抽出した画像と組み合わせてプリントし得ることができる技術を提供することを目的とする。
【課題を解決するための手段】
【０００８】
上記課題を解決するために、代表的な本発明の画像プリントサービスシステムおよび画像プリントサービス方法の一つは、
複数の画像と画像選択、またはスクリーンショット、またはドラッグ・ドロップの何れか１つの操作をしたときにおける画像を特定するに足りる情報を対応付け、つまり紐付けしてコンテンツＤＢサーバのストレージに蓄積しておき、ユーザーが所望の画像を選択操作、またはスクリーンショット操作、またはドラッグ・ドロップ操作を行ったとき、操作したときの画像を特定するに足りる情報を受け、当該情報をもとにコンテンツＤＢサーバのストレージを検索、照合し、コンテンツＤＢサーバのストレージからユーザーが所望する画像を抽出し、抽出した画像（選択画像、スクリーンショット画像、ドラッグ・ドロップ画像）をユーザーが希望する商品にプリントし、提供するものである。
選択画像を特定するデータ（画像特定情報）は、選択動画時刻データ、例えば、動画を再生した時刻からユーザーが選択した時刻を示す選択動画時刻データ、またはスクリーンショット時刻データ、ドラック・ドロップ時刻データやスクリーンショット画像、ドラック・ドロップ画像そのものからなる。
【０００９】
例えば、画像プリントサービスシステムおよび画像プリントサービス方法の一つは、
ネットワークを介してクライアント端末に画像を含むコンテンツを配信する機能を有する画像プリントサービスシステムであって、
前記クライアント端末からユーザーが所望するコンテンツ配信要求を受けたとき、ユーザー所望のコンテンツの画像（含動画）を前記クライアント端末に配信し、
前記クライアント端末からユーザーが所望するコンテンツの画像（含動画）を特定する情報およびユーザーが所望する商品を特定する情報を受信したとき、ユーザーが所望するコンテンツの画像（含動画）を検索・抽出してユーザー所望する商品にプリントする画像プリントサービス管理サーバを含み、
前記画像プリントサービス管理サーバは、
前記クライアント端末からユーザーが所望するプリント画像を特定する情報を受信するプリント所望画像情報受信部、
前記クライアント端末からユーザーが所望するプリント商品を特定する情報を受信するプリント所望商品情報受信部、
前記画像を含むコンテンツを管理するコンテンツ管理部からユーザーが所望するコンテンツの画像（含動画）を特定する情報に基づいてユーザーが所望するコンテンツの画像（含動画）を抽出するコンテンツ画像抽出部、
抽出したコンテンツの画像（動画）をユーザーが所望するプリント商品にプリントするコンテンツ画像プリント部、
を備え、
ユーザーが所望するコンテンツの画像（含動画）をユーザーが所望する商品にプリントしてユーザーに提供可能とすることを特徴とする。
【発明の効果】
【００１０】
本発明によれば、ユーザーが動画などの画像を観賞している場合、好みの動画があって選択した場合、選択した動画を商品にプリントして、ユーザーに提供することができる。
上記した以外の課題、構成及び効果は、以下の実施形態の説明により明らかにされる。
【図面の簡単な説明】
【００１１】
【図１】本発明の画像プリントサービスシステムの概略構成を示すブロック図。
【図２】本発明のコンテンツＤＢサーバの構成例を示すブロック図。
【図３】コンテンツＤＢサーバのコンテンツＤＢにて管理するデータを示すテーブルの構成例を示す図。
【図４】クライアント端末（ＰＣやスマートフォン）の表示画面例を示す図。
【図５】本発明の実施例１における画像プリントサービスシステムとクライアント端末間における情報の送受および処理フローを示す図。
【図６】本発明の実施例２における画像プリントサービスシステムとクライアント端末間における情報の送受および処理フローを示す図。
【発明を実施するための形態】
【００１２】
以下、本発明の実施形態について図面を参照して説明する。本実施例では、コンテンツとして動画を想定して説明する。
【実施例１】
【００１３】
本発明の画像プリントサービスシステム１の概略構成を示すブロック図である。
画像プリントサービスシステム１は、画像プリントサービスサーバからなる。画像プリントサービスサーバは、例えば、Ｗｅｂサーバ１１、コンテンツＤＢサーバ１２、商品管理サーバ１３、プリントサーバ１４を有し、ネットワーク３を介して複数のクライアント端末２に接続される。
【００１４】
Ｗｅｂサーバ１１は、ＨＴＴＰ（HyperText Transfer Protocol）に則り、クライアントソフトウェアのウェブブラウザに対して、ＨＴＭＬ（HyperText Markup Language）やオブジェクト（画像などのコンテンツ）の表示を提供するサービスプログラム及びそのサービスが動作するサーバコンピュータであって、以下の機能を有する。
（１）コンテンツＤＢサーバ１２のストレージ１２４を検索する機能、
（２）コンテンツＤＢサーバ１２のストレージ１２４から所望の画像（キャプチャ画像データ）を抽出する機能
（３）Ｗｅｂページを保存する機能
【００１５】
コンテンツＤＢサーバ１２は、動画などのコンテンツを複数の画像に分割して格納したストレージ１２４を管理するサーバである。
【００１６】
ストレージ１２４は、コンテンツＤＢ１２４１、選択動画時刻データ対応分割画像ＤＢ１２４２を含む。
【００１７】
コンテンツＤＢ１２４１は、配信する動画などのコンテンツを記憶する。選択動画時刻データ対応分割画像ＤＢ１２４２は、動画などのコンテンツを複数の画像ごとに分割し、例えば、１秒ごとの画像（分割画像）を、各画像を特定するに足りる情報、例えば、画像再生開始時点から特定時点までの再生時刻を示す選択動画時刻データと対応付けして記憶する。
【００１８】
例えば、動画を再生開始した時刻から何分かの時刻に動画をタッチ・選択した場合、このタッチ・選択した選択時刻ｔ１、ｔ２・・・と動画の画像データｐ１、ｐ２・・・とを対応付けしてストレージ１２４に記憶しておく。
【００１９】
なお、本例では、クライアント端末２側のタイマ２２をもって選択動画時刻データとしているが、画像プリントサービスシステム１側のＷｅｂサーバ側にて決定してもよい。要するに、ユーザーが選択した画像を特定するに足りるデータであれば足りる。
【００２０】
このように、クライアント端末２にて動画を再生し、再生動画の中から所望の画像を選択した選択動画時刻データを特定することにより、この選択動画時刻データに対応する画像をストレージ１２４の中からタッチ・選択した一つの画像データを検索・抽出し、特定することが可能となる。
【００２１】
商品管理サーバ１３、例えば、Ｔシャツなどの商品を管理するサーバからなり、Ｗｅｂサーバ１１にて抽出したキャプチャ画像データを受け、キャプチャ画像データに例えば、ユーザーからの要望により、購入日時やユーザー誕生日、動画時刻、ロゴ、フォーマットデザインなどの付加情報を合成した画像（イメージ画像）を作成し、シミュレーションなどして、プリント業者のプリントサーバ１４へ出力する。
【００２２】
プリントサーバ１４は、プリンタを含み、例えば、キャプチャ画像データおよび付加情報をＴシャツなどの商品にプリントするものである。
【００２３】
クライアント端末２は、例えば、動画などの画像を受信し、表示する機能、データの送受信機能を有するパソコン、スマートフォンなどからなる。
【００２４】
図２は、コンテンツＤＢサーバ１２の構成例を示すブロック図である。
コンテンツＤＢサーバ１２は、コンテンツ配信部１２１、コンテンツ検索・照合部１２２、情報送受信部１２３、コンテンツＤＢ１２４１、制御部１２５を有する。
【００２５】
コンテンツ配信部１２１は、コンテンツＤＢ１２４１における動画などの画像をクライアント端末２に配信する機能を有する。
【００２６】
コンテンツ検索・照合部１２２は、クライアント端末２からユーザーが選択した画像を特定する、例えば、選択動画時刻データを受信するとともに、指定した商品に選択した選択画像をプリントしたい旨の要求を受けたとき、選択動画時刻データをもとにコンテンツＤＢ１２４１を検索し、当該選択動画時刻データに一致する画像を抽出し、ユーザーが選択した画像であるか否かを照合する機能を有する。
【００２７】
情報送受信部１２３は、クライアント端末２から指定される指定商品や選択動画に重ねてプリントしたい付加情報、例えば、購入日、誕生日、名前、動画時刻、ロゴ、フォーマットデザインなどを受信し、商品管理サーバ１３に送信する機能を有する。
【００２８】
制御部１２５は、内部に格納されたプログラムに従って、各部を制御し、上述した各機能を実行する。
【００２９】
図３は、ストレージ１２４の選択動画時刻データ対応分割画像ＤＢ１２４２におけるデータ構成を示す図である。
【００３０】
画像テーブル１２４２１は、選択動画時刻データ１２４２１１（再生開始からの時刻）と対応付けして分割画像１２４２１２を記録する領域を含む。
【００３１】
図４は、クライアント端末２（ＰＣやスマートフォン）の表示部の表示画面例を示す図である。
【００３２】
クライアント端末２は、例えば、配信された画像を表示する画面領域２１１、配信画像の一部の画像をプリントしたい所望の商品（Ｔシャツなど）を入力し、指定する画面領域２１２、付加情報を追加する場合における付加情報（購入日、誕生日、名前、動画時刻、ロゴ、フォーマットデザインなど）を入力もしくは選択し、指定する画面領域２１３を有する。
【００３３】
図５は、本発明の実施例１における画像プリントサービスシステム１とクライアント端末２間における情報の送受および処理フローを示す図である。
【００３４】
図５のクライアント端末２及び画像プリントサービスシステム１（画像プリントサービスサーバ）におけるフローチャートに基づく動作は以下のとおりである。
【００３５】
ステップＳ２０１１：
クライアント端末２は、画像プリントサービスシステム１のＷｅｂサーバ１１のＷｅｂサイト１１１を介してコンテンツ（例えば、アニメ、映画やプロモーションビデオなどの動画）の配信要求を受信する。
【００３６】
ステップＳ１２５１：
すると、画像プリントサービスシステム１のコンテンツＤＢサーバ１２は、クライアント端末２を介して要求されたユーザー指定のコンテンツを、Ｗｅｂサーバ１１を介してクライアント端末２に配信する。
【００３７】
ステップＳ２０１２：
クライアント端末２は、画像プリントサービスシステム１から配信されるコンテンツを受信する。
【００３８】
ステップＳ２０１３：
ここで、クライアント端末２は、画像プリントサービスシステム１から配信されるコンテンツを再生、表示し、そのコンテンツの中からユーザーが所望する画像があり、当該画像を所望の商品にプリントして得たい場合、例えば、表示画面をタッチし、所望の画像を選択する。
【００３９】
ステップＳ２０１４：
すると、クライアント端末２は、ユーザーが選択した画像を特定するに足りるデータ、例えば、動画時刻データを、Ｗｅｂサーバ１１を介してコンテンツＤＢサーバ１２に送信する。
【００４０】
ステップＳ２０１５：
このとき、クライアント端末２は、画像をプリントしたい希望の商品（Ｔシャツなど）に関する商品情報、また、動画に付加してプリントしたい付加情報（購入日、誕生日、氏名、動画時刻、ロゴ、フォーマットデザインなど）をオプションとして、Ｗｅｂサーバ１１のＷｅｂサイト１１１を介してコンテンツＤＢサーバ１２に送信する。オプション情報としては、ユーザーが希望する画像のトリミング、画像を加工するフィルター、プリントの大きさ、ボディーから、プリントカラー、サイズ、プリント位置などを指定した情報を含めてもよい。
【００４１】
ステップＳ１２５６：
すると、画像プリントサービスシステム１のコンテンツＤＢサーバ１２は、ユーザーが選択したときの動画時刻データを受信する。
【００４２】
ステップＳ１２５３：
また、コンテンツＤＢサーバ１２は、動画時刻データをもとにストレージ１２４の動画時刻データ対応分割画像ＤＢ１２４２を検索し、照合する。
【００４３】
ステップＳ１２５４：
動画時刻データに対応（一致）する分割画像（ユーザーが選択したコンテンツの画像）を抽出する。
【００４４】
ステップＳ１２５５：
抽出した分割画像を商品管理サーバ１３に送信する。
【００４５】
ステップＳ１３１１：
すると、商品管理サーバ１３は、分割画像を受信する。
【００４６】
ステップＳ１３１２：
このとき、クライアント端末２から付加情報が送信された場合には、付加情報を受信する。
【００４７】
ステップ１３１３：
商品管理サーバ１３は、分割画像と付加情報を組み合わせた画像を作成し、シミュレーションする。そして、このシミュレーションした画像（イメージ画像）をキャプチャ画像データとしてプリントサーバ１４に送信する。
【００４８】
ステップＳ１４１１：
プリントサーバ１４は、商品管理サーバ１３から送信された分割画像と付加情報を含むキャプチャ画像データを受信する。
【００４９】
ステップＳ１４１２：
プリントサーバ１４は、分割画像と付加情報を含むキャプチャ画像データを商品対応のプリンタにてユーザーが指定した商品にプリントするように制御する。
しかるのち、プリントした商品を既存の手段によりユーザーへ配送する。
なお、キャプチャ画像データをプリンタにてユーザーが指定した商品にプリントする前にシミュレーションした画像をクライアント端末２側に送信し、ユーザーの了解、指示を得た上でプリントを実行するステップを追加してもよい。
【００５０】
以上のように、ユーザーが配信されたコンテンツから所望の画像を選択すると、画像プリントサービスシステム１では、ユーザーが選択した画像を特定し、特定した画像を付加情情報とともにユーザー指定の商品にプリントし、プリントした商品をユーザーに提供することができる。
【実施例２】
【００５１】
実施例１では、画像と選択動画時刻データを突き合わせて、ユーザー選択画像を特定するものであるが、本実施例２では、動画を再生し、所望の動画を選択するとき、スクリーンショット操作、またはドラッグ・ドロップ操作によりユーザーが所望する画像を選択した場合における例である。
以下、図６を参照して図５と相違するステップのみ、以下に示す。
【００５２】
ステップＳ２０２１：
ユーザーは、クライアント端末２にてスクリーンショットまたはドラッグ・ドロップ操作、例えば、クライアント端末２がスマートフォンであれば、電源ボタンとホームボタンを同時に押してスクリーンショット撮影し、再生中動画の一部を秒数単位で切り取る。
【００５３】
ステップＳ２０２２：
クライアント端末２は、スクリーンショット撮影またはドラッグ・ドロップにて得たスクリーンショット時刻データまたはドラッグ・ドロップ時刻データを画像プリントサービスシステム１側に送信する。
【００５４】
ステップＳ１２６１：
すると、画像プリントサービスシステム１は、例えば、コンテンツＤＢサーバ１２にてスクリーンショット時刻データまたはドラッグ・ドロップ時刻データを受信する。
【００５５】
ステップＳ１２６２：
画像プリントサービスシステム１は、スクリーンショット時刻データまたはドラッグ・ドロップ時刻データをもとにストレージ１２４（動画時刻データ対応分割画像ＤＢ１２４２）のコンテンツ（画像）検索・照合する。
【００５６】
ステップＳ１２６３：
画像プリントサービスシステム１は、スクリーンショット時刻データまたはドラッグ・ドロップ時刻データに対応するスクリーンショット画像またはドラッグ・ドロップ画像を抽出する。
【００５７】
ステップＳ１２６４：
画像プリントサービスシステム１は、抽出したスクリーンショット画像またはドラッグ・ドロップ画像を商品管理サーバ１３へ送信する。
【００５８】
ステップＳ１３１１：
商品管理サーバ１３は、スクリーンショット画像またはドラッグ・ドロップ画像を受信し、スクリーンショット時刻データまたはドラッグ・ドロップ時刻データに対応するスクリーンショット画像またはドラッグ・ドロップ画像にクライアント端末２からＷｅｂサーバ１１を介して送信される付加情報を組み合わせた画像を作成し、シミュレーションする。そして、このシミュレーションした画像（イメージ画像）をキャプチャ画像データとしてプリントサーバ１４に送信する。
【００５９】
本実施例では、ステップＳ１２６２にて、スクリーンショット時刻データまたはドラッグ・ドロップ時刻データをもとにスクリーンショット画像を特定しているが、ステップＳ１２６１にて、クライアント端末２から送信されるスクリーンショット画像またはドラッグ・ドロップ画像を受け、これらの画像そのものをもとにシステム側での画像の照合を行ってもよい。このときの画像照合は、既存の画像マッチング技術を利用するとよい。
【００６０】
本実施例によれば、実施例１のように動画時刻と画像との突き合わせ処理が省略することができる。
【符号の説明】
【００６１】
１        画像プリントサービスシステム
１１      Ｗｅｂサーバ
１１１    Ｗｅｂサイト
１２      コンテンツＤＢサーバ
１２４    ストレージ
１２４１  コンテンツＤＢ
１２４２  選択動画時刻データ対応分割画像ＤＢ
１３      商品管理サーバ
１４      プリントサーバ
２        クライアント端末
３        ネットワーク
【図１】
2020204801.tif 000003
【図２】
2020204801.tif 000004
【図３】
2020204801.tif 000005
【図４】
2020204801.tif 000006
【図５】
2020204801.tif 000007
【図６】
2020204801.tif 000008
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
ネットワークを介して動画をクライアント端末に配信する機能を有する画像プリントサービスシステムであって、
コンテンツＤＢサーバと商品管理サーバを含む画像プリントサービスサーバを備え、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを含むストレージと、
前記クライアント端末からユーザーが所望する動画の配信要求を受けたとき、前記コンテンツＤＢから当該動画の配信要求に応じた動画を読み出して前記クライアント端末に送信するコンテンツ送信手段と、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信手段と、
前記選択動画特定情報を受信したとき、当該選択動画特定情報をもとに前記選択動画特定情報対応分割画像ＤＢを検索し、当該選択動画特定情報に対応する分割画像を抽出する分割画像抽出手段と、
前記分割画像抽出手段にて抽出した分割画像を前記商品管理サーバに送信する分割画像送信手段と、を含み、
前記商品管理サーバは、
前記コンテンツＤＢサーバから送信される分割画像を受信する分割画像受信手段と、
前記クライアント端末からユーザーが所望する前記商品に関する商品情報及び前記動画に付加してプリントしたい付加情報を受信する商品情報・付加情報受信手段と、
前記分割画像と前記付加情報をユーザーにより指定された前記商品情報に基づく前記商品にプリンタにてプリントした場合におけるイメージ画を作成し、シミュレーションするシミュレーション手段と、
前記シミュレーション手段にてシミュレーションしたイメージ画像をキャプチャ画像データとしてプリントサーバに送信する送信手段を含む、
ことを特徴とする画像プリントサービスシステム。
【請求項２】
請求項１に記載された画像プリントサービスシステムにおいて、
前記画像プリントサービスサーバは、
Ｗｅｂサーバ、コンテンツＤＢサーバ、商品管理サーバ、プリントサーバを含み、
前記Ｗｅｂサーバは、
前記クライアント端末に前記ネットワークを介して接続され、前記クライアント端末からユーザーが所望するコンテンツ配信要求を受けたとき、前記画像を含むコンテンツを配信し、また、ユーザーが所望するコンテンツの画像を特定する情報およびユーザーが所望する商品を特定する情報を受信し、
前記コンテンツＤＢサーバは、
前記動画および動画を複数の画像に分割した前記分割画像を格納、管理し、前記ユーザーが所望する動画の１つの分割画像を特定する選択動画特定情報を受信したとき、当該選択動画特定情報に対応する所望の分割画像を検索・抽出し、
前記商品管理サーバは、前記商品を管理し、
前記プリントサーバは、
前記ユーザーが所望する動画の画像を特定する選択動画特定情報および前記ユーザーが所望する商品を特定する情報を受信したとき、前記コンテンツＤＢサーバにて抽出した分割画像を前記商品にプリントする
ことを特徴とする画像プリントサービスシステム。
【請求項３】
請求項１または２に記載された画像プリントサービスシステムにおいて、
前記選択動画特定情報が時刻データであり、
前記付加情報が購入日、誕生日、名前、動画時刻、ロゴ、フオーマットデザイン、画像の加工、プリントの大きさ、カラー、サイズ、プリント位置の１つ以上を含む
ことを特徴とする画像プリントサービスシステム。
【請求項４】
ネットワークを介して動画をクライアント端末に配信する機能を有し、コンテンツＤＢサーバと商品管理サーバを含む画像プリントサービスシステムの画像プリントサービス方法であって、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを有し、
前記コンテンツＤＢサーバは、
前記クライアント端末からユーザーが所望する動画の配信要求を受けたとき、前記コンテンツＤＢから当該動画の配信要求に応じた動画を読み出して前記クライアント端末に送信するコンテンツ送信ステップと、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信ステップと、
前記選択動画特定情報を受信したとき、当該選択動画特定情報をもとに前記選択動画特定情報対応分割画像ＤＢを検索し、当該選択動画特定情報に対応する分割画像を抽出する分割画像抽出ステップと、
前記分割画像抽出ステップにて抽出した分割画像を前記商品管理サーバに送信する分割画像送信ステップと、を含み、
前記商品管理サーバは、
前記コンテンツＤＢサーバから送信される分割画像を受信する分割画像受信ステップと、
前記クライアント端末からユーザーが所望する前記商品に関する商品情報及び前記動画に付加してプリントしたい付加情報を受信する商品情報・付加情報受信ステップと、
前記分割画像と前記付加情報をユーザーにより指定された前記商品情報に基づく前記商品にプリンタにてプリントした場合におけるイメージ画を作成し、シミュレーションするシミュレーションステップと、
前記シミュレーションステップにてシミュレーションしたイメージ画像をキャプチャ画像データとしてプリントサーバに送信する送信ステップを含む、
ことを特徴とする画像プリントサービス方法。
【請求項５】
請求項４に記載された画像プリントサービス方法において、
前記選択動画特定情報が時刻データであり、
前記付加情報が購入日、誕生日、名前、動画時刻、ロゴ、フオーマットデザイン、画像の加工、プリントの大きさ、カラー、サイズ、プリント位置の１つ以上を含む
ことを特徴とする画像プリントサービス方法。
【手続補正２】
【補正対象書類名】明細書
【補正対象項目名】０００９
【補正方法】変更
【補正の内容】
【０００９】
例えば、画像プリントサービスシステムおよび画像プリントサービス方法の一つは、
ネットワークを介して動画をクライアント端末に配信する機能を有する画像プリントサービスシステムであって、
コンテンツＤＢサーバと商品管理サーバを含む画像プリントサービスサーバを備え、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを含むストレージと、
前記クライアント端末からユーザーが所望する動画の配信要求を受けたとき、前記コンテンツＤＢから当該動画の配信要求に応じた動画を読み出して前記クライアント端末に送信するコンテンツ送信手段と、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信手段と、
前記選択動画特定情報を受信したとき、当該選択動画特定情報をもとに前記選択動画特定情報対応分割画像ＤＢを検索し、当該選択動画特定情報に対応する分割画像を抽出する分割画像抽出手段と、
前記分割画像抽出手段にて抽出した分割画像を前記商品管理サーバに送信する分割画像送信手段と、を含み、
前記商品管理サーバは、
前記コンテンツＤＢサーバから送信される分割画像を受信する分割画像受信手段と、
前記クライアント端末からユーザーが所望する前記商品に関する商品情報及び前記動画に付加してプリントしたい付加情報を受信する商品情報・付加情報受信手段と、
前記分割画像と前記付加情報をユーザーにより指定された前記商品情報に基づく前記商品にプリンタにてプリントした場合におけるイメージ画を作成し、シミュレーションするシミュレーション手段と、
前記シミュレーション手段にてシミュレーションしたイメージ画像をキャプチャ画像データとしてプリントサーバに送信する送信手段を含む、
ことを特徴とする。
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ネットワークを介して動画をクライアント端末に配信する機能を有する画像プリントサービスシステムであって、
コンテンツＤＢサーバと商品管理サーバを含む画像プリントサービスサーバを備え、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを含むストレージと、
前記クライアント端末からユーザーが所望する動画の配信要求を受けたとき、前記コンテンツＤＢから当該動画の配信要求に応じた動画を読み出して前記クライアント端末に送信するコンテンツ送信手段と、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信手段と、
前記選択動画特定情報を受信したとき、当該選択動画特定情報をもとに前記選択動画特定情報対応分割画像ＤＢを検索し、当該選択動画特定情報に対応する分割画像を抽出する分割画像抽出手段と、
前記分割画像抽出手段にて抽出した分割画像を前記商品管理サーバに送信する分割画像送信手段と、を含み、
前記商品管理サーバは、
前記コンテンツＤＢサーバから送信される分割画像を受信する分割画像受信手段と、
前記クライアント端末からユーザーが所望する前記商品に関する商品情報及び前記動画に付加してプリントしたい付加情報を受信する商品情報・付加情報受信手段と、
前記分割画像と前記付加情報をユーザーにより指定された前記商品情報に基づく前記商品にプリンタにてプリントした場合におけるイメージ画を作成し、シミュレーションするシミュレーション手段と、
前記シミュレーション手段にてシミュレーションしたイメージ画像をキャプチャ画像データとしてプリントサーバに送信する送信手段を含む、
ことを特徴とする画像プリントサービスシステム。
【請求項２】
請求項１に記載された画像プリントサービスシステムにおいて、
前記画像プリントサービスサーバは、
Ｗｅｂサーバ、コンテンツＤＢサーバ、商品管理サーバ、プリントサーバを含み、
前記Ｗｅｂサーバは、
前記クライアント端末に前記ネットワークを介して接続され、前記クライアント端末からユーザーが所望するコンテンツ配信要求を受けたとき、前記画像を含むコンテンツを配信し、また、ユーザーが所望するコンテンツの画像を特定する情報およびユーザーが所望する商品を特定する情報を受信し、
前記コンテンツＤＢサーバは、
前記動画および動画を複数の画像に分割した前記分割画像を格納、管理し、前記ユーザーが所望する動画の１つの分割画像を特定する選択動画特定情報を受信したとき、当該選択動画特定情報に対応する所望の分割画像を検索・抽出し、
前記商品管理サーバは、前記商品を管理し、
前記プリントサーバは、
前記ユーザーが所望する動画の画像を特定する選択動画特定情報および前記ユーザーが所望する商品を特定する情報を受信したとき、前記コンテンツＤＢサーバにて抽出した分割画像を前記商品にプリントする
ことを特徴とする画像プリントサービスシステム。
【請求項３】
請求項１または２に記載された画像プリントサービスシステムにおいて、
前記選択動画特定情報が時刻データであり、
前記付加情報が購入日、誕生日、名前、動画時刻、ロゴ、フォーマットデザイン、画像の加工、プリントの大きさ、カラー、サイズ、プリント位置の１つ以上を含む
ことを特徴とする画像プリントサービスシステム。
【請求項４】
ネットワークを介して動画をクライアント端末に配信する機能を有し、コンテンツＤＢサーバと商品管理サーバを含む画像プリントサービスシステムの画像プリントサービス方法であって、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを有し、
前記コンテンツＤＢサーバは、
前記クライアント端末からユーザーが所望する動画の配信要求を受けたとき、前記コンテンツＤＢから当該動画の配信要求に応じた動画を読み出して前記クライアント端末に送信するコンテンツ送信ステップと、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信ステップと、
前記選択動画特定情報を受信したとき、当該選択動画特定情報をもとに前記選択動画特定情報対応分割画像ＤＢを検索し、当該選択動画特定情報に対応する分割画像を抽出する分割画像抽出ステップと、
前記分割画像抽出ステップにて抽出した分割画像を前記商品管理サーバに送信する分割画像送信ステップと、を含み、
前記商品管理サーバは、
前記コンテンツＤＢサーバから送信される分割画像を受信する分割画像受信ステップと、
前記クライアント端末からユーザーが所望する前記商品に関する商品情報及び前記動画に付加してプリントしたい付加情報を受信する商品情報・付加情報受信ステップと、
前記分割画像と前記付加情報をユーザーにより指定された前記商品情報に基づく前記商品にプリンタにてプリントした場合におけるイメージ画を作成し、シミュレーションするシミュレーションステップと、
前記シミュレーションステップにてシミュレーションしたイメージ画像をキャプチャ画像データとしてプリントサーバに送信する送信ステップを含む、
ことを特徴とする画像プリントサービス方法。
【請求項５】
請求項４に記載された画像プリントサービス方法において、
前記選択動画特定情報が時刻データであり、
前記付加情報が購入日、誕生日、名前、動画時刻、ロゴ、フォーマットデザイン、画像の加工、プリントの大きさ、カラー、サイズ、プリント位置の１つ以上を含む
ことを特徴とする画像プリントサービス方法。
【手続補正２】
【補正対象書類名】明細書
【補正対象項目名】０００９
【補正方法】変更
【補正の内容】
【０００９】
例えば、画像プリントサービスシステムおよび画像プリントサービス方法の一つは、
ネットワークを介して動画をクライアント端末に配信する機能を有する画像プリントサービスシステムであって、
コンテンツＤＢサーバと商品管理サーバを含む画像プリントサービスサーバを備え、
前記コンテンツＤＢサーバは、
前記動画を格納したコンテンツＤＢと、前記動画を複数の画像に分割した分割画像を、各分割画像を特定する選択動画特定情報と対応付けして格納した選択動画特定情報対応分割画像ＤＢを含むストレージと、
前記クライアント端末からユーザーが所望する動画の配信要求を受けたとき、前記コンテンツＤＢから当該動画の配信要求に応じた動画を読み出して前記クライアント端末に送信するコンテンツ送信手段と、
前記クライアント端末にて再生、表示された動画の中からユーザーが所望する画像を所望の商品にプリントして得たい場合、ユーザーが前記クライアント端末の表示画面をタッチし、所望の画像を選択したとき、前記クライアント端末から送信され、当該選択した画像を特定する選択動画特定情報を受信する選択動画特定情報受信手段と、
前記選択動画特定情報を受信したとき、当該選択動画特定情報をもとに前記選択動画特定情報対応分割画像ＤＢを検索し、当該選択動画特定情報に対応する分割画像を抽出する分割画像抽出手段と、
前記分割画像抽出手段にて抽出した分割画像を前記商品管理サーバに送信する分割画像送信手段と、を含み、
前記商品管理サーバは、
前記コンテンツＤＢサーバから送信される分割画像を受信する分割画像受信手段と、
前記クライアント端末からユーザーが所望する前記商品に関する商品情報及び前記動画に付加してプリントしたい付加情報を受信する商品情報・付加情報受信手段と、
前記分割画像と前記付加情報をユーザーにより指定された前記商品情報に基づく前記商品にプリンタにてプリントした場合におけるイメージ画を作成し、シミュレーションするシミュレーション手段と、
前記シミュレーション手段にてシミュレーションしたイメージ画像をキャプチャ画像データとしてプリントサーバに送信する送信手段を含む、
ことを特徴とする。